(57)【特許請求の範囲】
【請求項１】
光源を有した基板と、前記光源からの光が入射される入射面を長手方向一端面に有するとともに、該入射面からの光を出射する出射面を長手方向一側面に有した棒状導光体とを備え、
前記棒状導光体の長手方向一端部及び前記基板には、前記光源の光軸廻りに複数の異なる向きに前記出射面を向かせたそれぞれの状態で互いに係合し、前記基板に対する前記棒状導光体の光軸廻りの位置決めをする係合部が設けられており、
前記基板の係合部は、前記光軸を略中心とする正多角形状の複数の係合辺部を備え、
前記棒状導光体の係合部は、長手方向に沿って突出するとともに、前記複数の係合辺部のうちの少なくとも二つに係合する係合突起部を備えていることを特徴とする発光部材。
【請求項２】
請求項１において、
前記基板を収容する基板ケースを更に備え、
前記基板ケースには、前記基板の係合辺部とによって前記棒状導光体の係合突起部を挟むように位置決めする位置決め片部が設けられていることを特徴とする発光部材。
【請求項３】
請求項２において、
前記棒状導光体の係合突起部は、前記基板の係合辺部のうちの二つの辺部に対応させて二股状に形成されており、
前記基板ケースの位置決め片部には、前記棒状導光体の二股状の係合突起部間に挟まれるように配置される係合凸部が設けられていることを特徴とする発光部材。
【発明の詳細な説明】
【技術分野】
【０００１】
本発明は、光源を有した基板と、前記光源からの光を出射する出射面を長手方向一側面に有した導光体とを備えた発光部材に関する。
【背景技術】
【０００２】
従来より、光源を有した基板と、この光源からの光が入射される入射面を長手方向端面に有するとともに、該入射面からの光を出射する出射面を長手方向一側面に有した棒状導光体とを備えたライン状の照明装置が提案されている。例えば、下記特許文献１では、棒状導光体の長手方向両端部に発光ユニットをそれぞれに配置したライン照明装置が提案されている。
【先行技術文献】
【特許文献】
【０００３】
【特許文献１】特開２００５−１９８１０６号公報
【発明の概要】
【発明が解決しようとする課題】
【０００４】
しかしながら、上記したような従来のライン照明装置等の発光装置に組み込まれる基板及び棒状導光体は、組み込まれる発光装置の用途、特に出射方向（発光方向）に応じて専用のものとされている。つまり、特定の方向へ棒状導光体の出射面が向くように基板乃至は基板ケース等に組み付けられ、必要に応じてこれらを位置決めする溝やリブ等がこれらに設けられている。このようなものでは、所望される特定の出射方向毎に棒状導光体や基板乃至は基板ケース等を形成する必要があり、改善が望まれていた。
【０００５】
本発明は、上記実情に鑑みてなされたものであり、出射方向の変更に比較的に簡易に対応し得る発光部材を提供することを目的としている。
【課題を解決するための手段】
【０００６】
上記目的を達成するために、本発明に係る発光部材は、光源を有した基板と、前記光源からの光が入射される入射面を長手方向一端面に有するとともに、該入射面からの光を出射する出射面を長手方向一側面に有した棒状導光体とを備え、前記棒状導光体の長手方向一端部及び前記基板には、前記光源の光軸廻りに複数の異なる向きに前記出射面を向かせたそれぞれの状態で互いに係合し、前記基板に対する前記棒状導光体の光軸廻りの位置決めをする係合部が設けられており、前記基板の係合部は、前記光軸を略中心とする正多角形状の複数の係合辺部を備え、前記棒状導光体の係合部は、長手方向に沿って突出するとともに、前記複数の係合辺部のうちの少なくとも二つに係合する係合突起部を備えていることを特徴とする。
【０００７】
本発明においては、前記基板を収容する基板ケースを更に備えたものとし、この基板ケースに、前記基板の係合辺部とによって前記棒状導光体の係合突起部を挟むように位置決めする位置決め片部を設けるようにしてもよい。
また、本発明においては、前記棒状導光体の係合突起部を、前記基板の係合辺部のうちの二つの辺部に対応させて二股状に形成されたものとし、前記基板ケースの位置決め片部に、前記棒状導光体の二股状の係合突起部間に挟まれるように配置される係合凸部を設けるようにしてもよい。
【発明の効果】
【０００８】
本発明に係る発光部材は、上述のような構成としたことで、出射方向の変更に比較的に簡易に対応することができる。
【図面の簡単な説明】
【０００９】
【図１】（ａ）は、本発明の一実施形態に係る発光部材の一例を模式的に示す一部破断概略正面図、（ｂ）は、同発光部材を備えた発光装置の一例を模式的に示す一部破断概略正面図及び部分拡大図である。
【図２】（ａ）〜（ｄ）は、いずれも図１（ａ）におけるＸ−Ｘ線矢視に対応させた概略縦断面図である。
【図３】（ａ）〜（ｃ）は、いずれも同発光部材が備える棒状導光体の一例を模式的に示し、（ａ）は、概略平面図、（ｂ）は、概略斜視図、（ｃ）は、概略一側面図である。
【図４】（ａ）は、同発光部材が備える基板の一例を模式的に示す概略斜視図、（ｂ）は、同発光部材が備える基板ケースの一例を模式的に示す概略斜視図、（ｃ）は、同基板の同基板ケースへの組み付け手順を模式的に示す概略側面図、（ｄ）は、同基板を同基板ケースに組み付けた状態を模式的に示し、図１（ｂ）における部分拡大図に対応させた一部破断概略斜視図である。
【図５】（ａ）は、同基板を同基板ケースに組み付けた状態を模式的に示す概略側面図、（ｂ）は、同棒状導光体を組み付けた状態を模式的に示す一部破断概略側面図、（ｃ）、（ｄ）は、いずれも同棒状導光体を組み付けた状態を模式的に示し、図１（ｂ）における部分拡大図に対応させた一部破断概略斜視図である。
【図６】（ａ）〜（ｃ）は、いずれも同発光部材が備える基板ケースの一変形例を模式的に示し、それぞれ図５（ｂ）に対応させた図、（ｄ）、（ｅ）は、いずれも同発光部材が備える基板の一変形例及び基板ケースの他の変形例を模式的に示し、それぞれ図５（ｂ）に対応させた図である。
【発明を実施するための形態】
【００１０】
以下に本発明の実施の形態について、図面に基づいて説明する。
なお、一部の図では、他図に付している詳細な符号の一部を省略している。
【００１１】
図１〜図６は、本実施形態に係る発光部材及びこれを組み込んだ発光装置の一例について説明するための概念的な説明図である。
本実施形態に係る発光部材１は、図１（ａ）に示すように、光源としてのＬＥＤ（発光ダイオード）２３を有した基板２０と、この基板２０のＬＥＤ２３からの光を出射（照射）する棒状導光体１０とを備えている。
また、本実施形態では、図１（ａ）に示すように、長尺棒状に形成された棒状導光体１０の長手方向両端部のそれぞれにＬＥＤ２３を有した基板２０を配設した発光部材１を例示している。
【００１２】
棒状導光体１０は、図１及び図３に示すように、長尺の棒状とされ、長手方向両端面のそれぞれにＬＥＤ２３に対向配置される入射面１３，１３を有している。本実施形態では、図１（ａ）及び図３（ｃ）に示すように、棒状導光体１０の長手方向両端部に、長手方向外方側に向けて先細り状で、かつ外周面が凸湾曲形状とされたレンズ状部を設けている。また、このレンズ状部に、長手方向外方側に向けて開口し、ＬＥＤ２３，２３をそれぞれに受け入れる略円柱形状の凹部を設けており、該凹部の底面及び内周側面を入射面１３，１３としている。このような構成によれば、ＬＥＤ２３から出射された光を効率的に長手方向中心側に向けて入射させることができる。なお、入射面１３，１３としては、このようなレンズ状部に凹部を設けた態様に限られず、ＬＥＤ２３が対向配置される略平坦面としてもよい。
【００１３】
また、棒状導光体１０は、これら入射面１３，１３に略交差する長手方向一側面に、入射面１３，１３からの光を出射する出射面１４を有し、この出射面１４の反対側で入射面１３，１３に略交差する長手方向他側面に、反射面１５を有している。また、入射面１３，１３に略交差する残余の長手方向両側面は、反射側面１７，１７とされている。
この棒状導光体１０は、各入射面１３，１３から入射された光を、反射面１５や反射側面１７，１７によって反射させ、長手方向に沿って導光しながら、出射面１４から出射する、いわゆるエッジライト方式の構造とされている。
【００１４】
出射面１４は、本実施形態では、図３（ｃ）に示すように、長手方向に沿う所定線を円心とするような略円弧形状（凸湾曲面形状）とされている。出射面１４をこのような凸湾曲面形状とすることで、出射面１４から出射される光の反射側面１７，１７対向方向への拡散を低減することができる。なお、出射面１４をこのような凸湾曲面形状とせずに、略平坦面としてもよい。
この出射面１４の反対側、つまり、出射面１４と略平行となるように設けられた反射面１５は、図３（ａ）、（ｂ）に示すように、長手方向中心に向かうに従って出射面１４に向けて傾斜する傾斜面とされている。反射面１５をこのような構成とすることで、入射面１３から入射された光を、長手方向に沿って比較的に均一に出射面１４から出射させることができる。なお、反射面１５をこのような傾斜面とせずに、略同一平面状としてもよい。
【００１５】
また、反射面１５には、導光される光を出射面１４側に向けて反射する反射パターン１６が形成されている。本実施形態では、この反射パターン１６を、図３（ａ）、（ｂ）に示すように、多数のプリズム状の反射凹溝１６によって形成している。これら反射凹溝１６は、当該棒状導光体１０の長手方向に直交する方向（反射側面１７，１７対向方向）に沿って形成されるとともに、長手方向に沿って間隔を空けて設けられている。つまり、これら反射凹溝１６は、入射面１３，１３（図例では凹部底面）と平行な方向に沿って形成されるとともに、互いに平行に設けられている。これら反射凹溝１６は、長手方向中心線を挟んで略対称状に設けるようにしてもよい。つまり、長手方向中心線を対称軸として、略線対称状にこれら反射凹溝１６を設けるようにしてもよい。また、これら反射凹溝１６の形状は、出射面１４から出射される光の所望される配光パターンに応じて適宜、設定可能であり、略Ｖ字形状や、略逆二等辺三角形状、その他の逆三角形状、略逆台形状などとしてもよい。
【００１６】
反射面１５の反射パターンを反射凹溝１６によって構成することで、例えば、白色インク等を塗布して散乱ドットパターンを形成したり、拡散板や反射板等の別部材によって反射パターンを構成したりするものと比べて製造が比較的に容易であり、簡易な構造とできる。また、反射凹溝１６を、当該棒状導光体１０の長手方向に直交する方向（反射側面１７，１７対向方向）に沿って形成しているので、反射側面１７，１７対向方向への光の拡散を抑制することができる。
なお、反射凹溝１６を長手方向に沿って間隔を空けて設けるピッチは、長手方向に沿って略同一ピッチとしてもよい。または、長手方向に沿って比較的に均一に出射面１４から光を出射させ得るように、長手方向中心に向かうに従って密となるように反射凹溝１６を設けるような態様としてもよい。さらに、反射パターンを反射凹溝１６によって形成する態様に代えて、白色インク等を塗布して形成された散乱ドットパターンや、拡散板、反射板等の別部材によって反射パターンを構成するような態様としてもよい。
【００１７】
反射側面１７，１７は、本実施形態では、図３（ｃ）に示すように、反射面１５から出射面部１４に向けて拡開するように傾斜状（テーパ状）に形成されている。反射側面１７，１７をこのような構成とすることで、反射面１５において反射して拡散して出射面１４に向かう拡散光を、出射面１５に向けて反射させることができる。つまり、反射側面１７，１７対向方向への光の拡散をより効果的に抑制することができる。なお、このような態様に代えて、反射面１５及び出射面１４の幅寸法（反射側面１７，１７対向方向に沿う寸法）を略同一とし、反射側面１７，１７を互いに略平行な平坦面としてもよい。
【００１８】
また、本実施形態では、棒状導光体１０の長手方向両端部のそれぞれに、後記する基板２０の係合部２１（図２参照）に係合する係合部１１，１１を設けている。これら棒状導光体１０及び基板２０のそれぞれに設けられた係合部１１，２１は、後記するように、基板２０に設けられたＬＥＤ２３の光軸２４（図１（ａ）参照）廻りに複数の異なる向きに出射面１４を向かせたそれぞれの状態で互いに係合する構成とされている。
【００１９】
係合部１１は、本実施形態では、図１（ａ）及び図３に示すように、長手方向に沿って突出する複数の係合突起部１２，１２を備えている。本実施形態では、二股状に形成された二つの係合突起部１２，１２を一方の反射側面１７の長手端部に付設するようにして設けた例を示している。
これら係合突起部１２，１２には、図２及び図３（ｃ）に示すように、略円形状とされた凹部の円心方向に向く係合面１２ａ，１２ａがそれぞれに形成されている。これら係合面１２ａ，１２ａは、上記円心を略中心とする正多角形状の二辺に対応するような形状とされている。図例では、これら係合面１２ａ，１２ａは、正八角形状の辺のうちの一辺を挟んで設けられた離間する二辺に対応させたような形状とされ、上記円心に向けて拡開するようなテーパ形状とされている。
【００２０】
また、これら係合突起部１２，１２には、後記する基板ケース３０の位置決め片部としての位置決め壁部３２（図１（ｂ）及び図５（ｂ）参照）に当接する当接面１２ｂ、１２ｂがそれぞれに形成されている。これら当接面１２ｂ，１２ｂは、本実施形態では、それぞれの係合突起部１２，１２において上記円心方向外方側側部に形成されており、互いに略同一平面状とされた面と、互いに略直交する面とをそれぞれに備えている。
なお、上記構成とされた棒状導光体１０は、アクリル樹脂やポリカーボネート樹脂等の透光性乃至は透明の樹脂系材料や透明ガラス等の屈折率の高い材料から一体的に形成するようにしてもよい。
【００２１】
基板２０は、図１（ａ）及び図４（ａ）に示すように、薄平板状とされており、この基板２０の表面側（棒状導光体１０側）には、光源となる発光素子としてのＬＥＤ２３やコネクター２５などの電子部品が実装されている。図例では、略長方形状とされた基板２０を長手方向に略二分した一方の部位にＬＥＤ２３を設け、他方の部位にコネクター２５を設けた例を示している。
なお、ＬＥＤ２３としては、図例のような発光素子（ＬＥＤ素子）を樹脂等で封止した砲弾型のものに限られず、チップ形状等、他の形状とされたものとしてもよく、表面実装型のものを採用するようにしてもよい。また、この基板２０は、当該基板２０に実装される各種電子部品等からの伝熱性を向上させ、放熱性を向上させる観点等からアルミニウム等の金属系材料から形成されたものとしてもよく、絶縁層等を積層した多層構造としてもよい。
【００２２】
また、基板２０の裏面側には、図１（ｂ）及び図４（ｄ）に示すように、伝熱（放熱）シート２６が積層されるようにして貼着されている。この伝熱シート２６としては、熱伝導性の良いシリコーンゲル等のゲルシートやシリコーンシート、その他の樹脂シートを採用するようにしてもよい。本実施形態では、少なくとも厚さ方向に圧縮変形（弾性変形）し得る樹脂シートを採用している。このような伝熱シート２６を基板２０の裏面側に貼着することで、当該伝熱シート２６が基板２０の裏面と後記する基板ケース３０との間のスペーサーとして機能し、基板２０と基板ケース３０とを当該伝熱シート２６を介して熱伝導的に密着させることができる。従って、基板２０に実装された電子部品等の熱を効率的に基板ケース３０側に伝熱させ、放熱させることができる。
【００２３】
また、基板２０は、上記した棒状導光体１０の係合部１１に係合する係合部２１を備えている。
本実施形態では、係合部２１は、図２及び図４（ａ）に示すように、ＬＥＤ２３の光軸２４（図１（ａ）参照）を略中心とする正多角形状の複数の係合辺部２２・・・を備えている。本実施形態では、棒状導光体１０の係合突起部１２，１２に対応させて、正八角形状のうちの複数の係合辺部２２・・・を備えた構成としており、図例では、正八角形状のうちの７つの係合辺部２２・・・を備えた構成としている。
これら係合辺部２２・・・は、ＬＥＤ２３廻りに基板２０（図例では、上記長手方向の一方の部位）の外周を切り欠くようにして形成されている。
【００２４】
図例では、基板２０の係合部２１は、当該基板２０の長手方向に沿うように設けられた２つの側（図２における左右側）係合辺部２２，２２と、これら側係合辺部２２，２２のそれぞれの両側に設けられた斜め係合辺部２２，２２，２２，２２と、当該基板２０の長手方向一端部に設けられた係合辺部（図２における上側係合辺部）２２とを備えている。なお、図例では、基板２０の長手方向一端部に平坦状の上側係合辺部２２を設けた例を示しているが、基板２０の長手方向一端部に正多角形状の一内角部が位置するように複数の係合辺部を設けるようにしてもよい。この場合は、棒状導光体１０の係合部１１の係合突起部１２，１２を、基板２０の係合部２１に対応させて適宜、変形すればよい。
【００２５】
上記構成とされた基板２０及び棒状導光体１０を備えた発光部材１は、図２に示すように、互いの係合部２１，１１の係合態様（係合パターン）を変更することで、ＬＥＤ２３の光軸２４廻りに複数の異なる向きに出射面１４を向かせたそれぞれの状態でこれらの位置合わせを容易に行うことができる。
図２（ａ）では、棒状導光体１０の係合突起部１２，１２の各係合面１２ａ，１２ａを、基板２０の係合部２１の係合辺部２２のうち、図示上側の上側係合辺部２２を挟んで離間した斜め二辺の係合辺部２２，２２に係合させた状態を示している。この係合位置では、棒状導光体１０の出射面１４が図示右側を向いた状態となり、この出射面１４から図示右方向に向けてＬＥＤ２３からの光が出射される。
【００２６】
図２（ｂ）では、上記した図２（ａ）の係合位置から棒状導光体１０を、ＬＥＤ２３（光軸２４）を中心として反時計廻りに４５度回転させて係合させた状態を示している。図例では、基板２０の上側係合辺部２２と図示左側の左側係合辺部２２とに棒状導光体１０の係合突起部１２，１２の各係合面１２ａ，１２ａを係合させた状態を示している。この係合位置では、棒状導光体１０の出射面１４が図示右斜め上方側を向いた状態となり、この出射面１４から図示右斜め上方向に向けてＬＥＤ２３からの光が出射される。
図２（ｃ）では、上記した図２（ａ）の係合位置から棒状導光体１０を、ＬＥＤ２３（光軸２４）を中心として時計廻りに４５度回転させて係合させた状態を示している。図例では、基板２０の上側係合辺部２２と図示右側の右側係合辺部２２とに棒状導光体１０の係合突起部１２，１２の各係合面１２ａ，１２ａを係合させた状態を示している。この係合位置では、棒状導光体１０の出射面１４が図示右斜め下方側を向いた状態となり、この出射面１４から図示右斜め下方向に向けてＬＥＤ２３からの光が出射される。
【００２７】
図２（ｄ）では、上記した図２（ａ）の係合位置から棒状導光体１０を、ＬＥＤ２３（光軸２４）を中心として反時計廻りに９０度回転させて係合させた状態を示している。図例では、基板２０の左側係合辺部２２を挟んで離間した斜め二辺の係合辺部２２，２２に棒状導光体１０の係合突起部１２，１２の各係合面１２ａ，１２ａを係合させた状態を示している。この係合位置では、棒状導光体１０の出射面１４が図示上方側を向いた状態となり、この出射面１４から図示上方向に向けてＬＥＤ２３からの光が出射される。
なお、図示を省略しているが、図２（ａ）の係合位置から棒状導光体１０を、ＬＥＤ２３（光軸２４）を中心として時計廻りに９０度回転させて係合させた状態とすることも可能である。この係合位置では、棒状導光体１０の出射面１４が図２における下方側を向いた状態となり、この出射面１４から図２における下方向に向けてＬＥＤ２３からの光が出射される。
【００２８】
以上のようにこれら棒状導光体１０及び基板２０を備えた本実施形態に係る発光部材１によれば、出射方向の変更に比較的に簡易に対応することができる。
つまり、棒状導光体１０及び基板２０のそれぞれに、光軸２４廻りに複数の異なる向きに出射面１４を向かせたそれぞれの状態で互いに係合する係合部１１，２１を設けているので、基板２０に対して複数の異なる向きに出射面１４が向くように棒状導光体１０を位置決めすることができる。つまりは、共通の基板２０に対して複数の異なる向きに出射面１４が向くように係合可能な共通の棒状導光体１０を係合させて位置決めすることができる。
これにより、発光装置等のケーシングや基板ケース等にこれらを組み込む際に、所望の方向に棒状導光体１０の出射面１４を向かせて比較的に簡易に組み込むことが可能となる。つまりは、所望される特定の出射方向毎に基板及び棒状導光体を形成する必要性が低減され、これらが組み込まれる発光装置等のケーシングや基板ケース等の構造を比較的に複雑化させることなく、出射方向を異ならせた発光装置を比較的に低コストで簡便に製造することができる。
【００２９】
また、本実施形態では、基板２０の係合部２１を、光軸２４を略中心とする正多角形状の複数の係合辺部２２を備えたものとしている。また、棒状導光体１０の係合部１１を、長手方向に沿って突出するとともに、複数の係合辺部２２のうちの少なくとも二つに係合する係合突起部１２，１２を備えたものとしている。従って、基板２０の複数の係合辺部２２のうちの少なくとも二つに棒状導光体１０の係合突起部１２，１２を係合させることで、互いの位置決めを行うことができ、また、基板２０の形状を比較的に簡易な構造とできる。
【００３０】
次に、上記構成とされた基板２０が収容される基板ケース３０の一例について説明する。
基板ケース３０は、図４（ｂ）〜（ｄ）に示すように、基板２０の裏面に設けられた伝熱シート２６が当接（弾性的に接触）し、棒状導光体１０の長手方向に沿う方向（光軸２４方向）に向いて配設されるベース壁部３１と、基板２０の一側部が当接する側壁部３６とを備えている。また、この基板ケース３０には、基板２０の長手方向両端部をそれぞれに押える押え部３４，３５が設けられている。基板２０のＬＥＤ２３側の端部表面を押える押え部３４は、突起状の押え突起部３４とされている。基板２０のコネクター２５側の端部表面を押える押え部３５は、壁状の押え壁部３５とされている。
【００３１】
この基板ケース３０には、図４（ｃ）、（ｄ）及び図５（ａ）に示すように、基板２０がスライド挿入されるようにして収容される。つまり、伝熱シート２６を圧縮させるようにしてベース壁部３１に弾性的に接触させ、このベース壁部３１に沿わせるようにして、基板２０の長手方向両端部のそれぞれを押え突起部３４及び押え壁部３５とベース壁部３１との間に挿入する。そして、基板２０の一側部を側壁部３６に当接させることで、基板２０を基板ケース３０に対して容易に組み付けることができる。なお、基板２０の基板ケースへの組み付け態様としては、このような態様に限られず、ねじ等の止具や接着剤等を用いて組み付けるようにしてもよい。
【００３２】
また、本実施形態では、基板ケース３０のベース壁部３１の一端に、光軸２４方向に沿って立ち上がるように形成された位置決め壁部３２を設けている。この位置決め壁部３２は、図５（ｂ）〜（ｄ）に示すように、基板２０に設けられた係合辺部２２とによって棒状導光体１０の係合突起部１２，１２を挟むように位置決めする位置決め片部として機能する。つまり、棒状導光体１０の係合突起部１２，１２は、図５（ｂ）に示すように、係合面１２ａ，１２ａ（図２参照）が基板２０の係合辺部２２，２２に当接し、当接面１２ｂ，１２ｂ（図２参照）が基板ケース３０の位置決め壁部３２に当接して、これらに挟まれるようにして位置決めがなされる。
【００３３】
また、この位置決め壁部３２に連設されるようにしてベース壁部３１から光軸２４方向に沿って立ち上がるように形成された係合凸部３３が設けられている。上記した押え突起部３４は、この係合凸部３３の立ち上り方向先端部位に連設されるようにして設けられている。
係合凸部３３は、基板ケース３０に基板２０を収容させた状態で、位置決め壁部３２から基板２０のＬＥＤ２３側に向けて突出するように形成されており、基板２０の一係合辺部２２（図例では、上記上側係合辺部）に近接乃至は当接する構成とされている。
また、この係合凸部３３は、図５（ｂ）に示すように、二股状に形成された棒状導光体１０の係合突起部１２，１２間に挟まれるように配置される。
【００３４】
また、基板ケース３０は、本実施形態では、二つの基板２０を、互いの裏面を対向配置したような状態（背中合わせのような状態）で収容可能な構成とされており、ベース壁部３１，３１を挟んで対称状に形成されている。なお、一つの基板２０のみを収容可能な構成としてもよい。
また、この基板ケース３０は、基板２０と同様、放熱性を向上させる観点等からアルミニウム等の金属系材料から形成されたものとしてもよい。
また、図４及び図５において、符号３７は、当該発光部材１が組み込まれる発光装置２のケーシング３（図１（ｂ）等参照）に設けられた位置決め孔に係合する位置決め突起である。
【００３５】
上記構成とされた基板ケース３０は、上述のように基板２０を収容させ、図４（ｄ）に示すように、発光装置２のケーシング３に取り付けるようにしてもよい。そして、この基板ケース３０に対して棒状導光体１０を組み付けるようにしてもよい。つまり、棒状導光体１０の長手方向両側に配置された基板２０，２０を収容した基板ケース３０，３０に対して棒状導光体１０を撓ませるようにして組み付ける。この際、棒状導光体１０の係合突起部１２，１２間の空所に基板ケース３０の係合凸部３３を受け入れさせるようにして、また、これらを基板ケース３０の位置決め壁部３２と基板２０の係合辺部２２，２２との間に挿入するようにして容易に位置決めしながら組み付けることができる。
または、基板２０をそれぞれに収容した基板ケース３０，３０を、棒状導光体１０の長手方向両端部に組み付けた後に、これら基板ケース３０，３０を発光装置２のケーシング３に取り付けるようにしてもよい。
このように組み付けた状態では、図１（ｂ）に示すように、棒状導光体１０の入射面１３が位置ズレ等することなく基板２０に設けられたＬＥＤ２３に対向配置される（図１（ａ）も参照）。
【００３６】
基板ケース３０を上記のような構成とすることで、棒状導光体１０及び基板２０を容易かつ比較的に確実に位置決めすることができる。
つまり、本実施形態では、基板ケース３０に、基板２０の係合辺部２２，２２とによって棒状導光体１０の係合突起部１２，１２を挟むように位置決めする位置決め壁部３２を設けている。従って、基板ケース３０に収容された基板２０の係合辺部２２，２２と基板ケース３０の位置決め壁部３２とによって棒状導光体１０の係合突起部１２，１２を挟むように位置決めすることができる。また、このように位置決めされた棒状導光体１０の係合突起部１２，１２によって基板２０の位置決めも比較的に確実になされる。
【００３７】
また、本実施形態では、基板ケース３０の位置決め壁部３２に、棒状導光体１０の二股状の係合突起部１２，１２間に挟まれるように配置される係合凸部３３を設けている。従って、基板ケース３０に対して棒状導光体１０及び基板２０をより確実に位置決めすることができる。つまり、棒状導光体１０の係合突起部１２，１２は、基板ケース３０の位置決め壁部３２と基板２０の係合辺部２２，２２とによって位置決めされるとともに、係合突起部１２，１２間に配置された係合凸部３３によって確実に位置決めがなされる。一方、基板２０は、基板ケース３０の係合凸部３３によって位置決めされた二股状の係合突起部１２，１２によって確実に位置決めされる。
【００３８】
特に、上記のように基板ケース３０を、基板２０をスライド挿入させて収容する構造とし、係合凸部３３に押え突起部３４を設けた構造としているので、基板２０の組み付けが容易でありながらも基板２０の組み付け後の位置ズレ等を効果的に防止することができる。つまり、図５（ｂ）に示すように、基板２０の斜めの二辺の係合辺部２２，２２のスライド方向両側に位置する棒状導光体１０の係合突起部１２が基板２０の抜止として機能し、基板２０の位置ズレ等を効果的に防止することができる。
【００３９】
さらに、本実施形態では、基板ケース３０を、二つの基板２０，２０を互いの裏面を対向配置したような状態で収容可能な構成としているので、棒状導光体１０を長手方向に並設させるようにして設ける場合に、部品点数を削減することができる。つまり、図１（ｂ）に示すような比較的に長尺のライン照明装置としての発光装置２に組み込むような場合に好適なものとなる。
なお、図例では、図示を省略しているが、この発光装置２の前面側（図示手前側）には、透光性乃至は透明の表面カバー等が設けられる。
【００４０】
また、図１（ｂ）に示す発光装置２では、棒状導光体１０を、その出射面１４が図示手前側を向くように基板２０と係合させ、この出射面１４の出射方向に対応させた基板ケース３０を用いた例を示しているが、このような態様に限られない。例えば、図２に基づいて説明したように、棒状導光体１０と基板２０との他の係合態様（係合パターン）に対応させた基板ケース３０を採用するようにしてもよい。この場合は、基板ケース３０の位置決め片部（位置決め壁部）３２や係合凸部３３等をそれぞれの係合態様に対応するように設けるようにしてもよい。このように棒状導光体１０及び基板２０の上述の種々の係合態様に対応させた基板ケース３０をそれぞれに予め用意しておけば、発光装置自体のケーシング等の構造を比較的に複雑化させることがなく、またはこれを共通のものとできる。従って、出射方向を異ならせた発光装置を比較的に低コストで簡便に製造することができる。
【００４１】
または、以下の変形例に示すように、基板ケース３０自体も棒状導光体１０及び基板２０の係合態様の変更に対応し得るような形状としてもよい。つまりは、基板ケース３０を、出射方向の変更に対応し得る構成としてもよい。
なお、以下の各変形例では、上記した例との相違点について主に説明し、同様の構成については、同一符号を付し、その説明を省略または簡略に説明する。
【００４２】
図６（ａ）〜（ｃ）は、第１変形例に係る基板ケース３０Ａを備えた発光部材１Ａを示している。
本変形例に係る基板ケース３０Ａは、位置決め壁部（位置決め片部）の構成が上記した例とは異なる。また、本変形例では、係合凸部３３及び押え突起部３４を設けていない。
本変形例では、上記同様の位置決め壁部３２に加え、この位置決め壁部３２に直交するようにベース壁部３１から立ち上がるように形成された位置決め壁部３２Ａを設けている。図例では、基板２０を収容した状態で基板２０の図示上側係合辺部２２に対面するように配置される上記同様の位置決め壁部３２と、図示左側係合辺部２２に対面するように配置される位置決め壁部３２Ａとを略直交するように設けた例を示している。なお、符号３６Ａは、基板２０のコネクター２５側の一側部を押える上記同様の押え壁部である。
【００４３】
このような構成とされた基板ケース３０Ａでは、当該基板ケース３０Ａに収容した基板２０と棒状導光体１０との上記係合態様の変更に対応することが以下のように可能となる。
図６（ａ）では、棒状導光体１０の出射面１４を、図２（ａ）と同様、図示右側に向かせた状態で棒状導光体１０の係合突起部１２，１２と基板２０の係合辺部２２，２２とを係合させた状態を示している。この状態では、上記した例と同様、基板ケース３０Ａの上記同様の位置決め壁部３２と基板２０の上側係合辺部２２を挟んで離間した斜め二辺の係合辺部２２，２２とによって棒状導光体１０の係合突起部１２，１２が挟まれるようにして位置決めされる。
【００４４】
図６（ｂ）では、棒状導光体１０の出射面１４を、図２（ｂ）と同様、図示右斜め上方側に向かせた状態で棒状導光体１０の係合突起部１２，１２と基板２０の係合辺部２２，２２とを係合させた状態を示している。この状態では、基板ケース３０Ａの上記同様の位置決め壁部３２及び左側係合辺部２２に対面する位置決め壁部３２Ａと基板２０の上側係合辺部２２及び左側係合辺部２２とによって棒状導光体１０の係合突起部１２，１２が挟まれるようにして位置決めされる。
図６（ｃ）では、棒状導光体１０の出射面１４を、図２（ｄ）と同様、図示上方側に向かせた状態で棒状導光体１０の係合突起部１２，１２と基板２０の係合辺部２２，２２とを係合させた状態を示している。この状態では、基板２０の左側係合辺部２２に対面する基板ケース３０Ａの位置決め壁部３２Ａと基板２０の左側係合辺部２２を挟んで離間した斜め二辺の係合辺部２２，２２とによって棒状導光体１０の係合突起部１２，１２が挟まれるようにして位置決めされる。
【００４５】
このような基板ケース３０Ａによれば、発光装置の他の形状を然程複雑化させることがなく、または共通のものとでき、出射方向を異ならせた発光装置をより低コストで簡便に製造することができる。つまり、基板ケース３０Ａ自体も共通化することができる。
なお、基板２０の左側係合辺部２２に対面する位置決め壁部３２Ａに対向するように、右側係合辺部２２に対面する位置決め壁部を更に設けるようにしてもよい。これによれば、この位置決め壁部によって、上記に加えて、図２（ｃ）に示す係合位置とされた棒状導光体１０や上記した出射面１４を図示下方側に向かせた係合位置とされた棒状導光体１０の位置決めを確実に行うことができる。この場合は、基板ケース３０Ａに対して図示下方側から基板２０を挿入させ得るような態様としてもよい。
また、基板ケース３０Ａに設けられる位置決め片部としての位置決め壁部は、図例のような形状に限られず、基板２０の係合辺部２２とによって棒状導光体１０の係合突起部１２，１２を挟むように位置決め可能なものであればどのようなものでもよい。
【００４６】
次に、第２変形例に係る発光部材１Ｂについて、図６（ｄ）、（ｅ）を参照して説明する。
本変形例に係る発光部材１Ｂは、基板２０Ａの係合部２１Ａの構成が上記各例とは異なる。
本変形例では、基板２０Ａの係合部２１Ａの係合辺部２２の個数を、上記した各例よりも少ない個数としている。図例では、６つの係合辺部２２を設け、上記各例と比べて図示右側係合辺部２２のコネクター２５側の斜めの係合辺部を省略した構成としている。このような構成によれば、棒状導光体１０との係合パターンの組み合わせ数は上記した例に比べて少なくなるが、上記したものと比べて基板２０Ａの強度を向上させることができる。
なお、この基板２０Ａを上記した各例に適用するようにしてもよい。
【００４７】
また、本変形例に係る発光部材１Ｂが備える基板ケース３０Ｂは、上記第１変形例と同様の位置決め壁部３２，３２Ａを備えている。また、これら位置決め壁部３２，３２Ａのそれぞれに、上記と略同様の押え突起部３４，３４Ａをそれぞれに設けた係合凸部３３，３３Ａを設けている。基板２０Ａの図示左側係合辺部２２に対面する位置決め壁部３２Ａに設けられた係合凸部３３Ａは、基板２０Ａの左側係合辺部２２に近接乃至は当接する構成とされている。
【００４８】
このような構成とされた基板ケース３０Ｂでは、上記第１変形例と略同様、当該基板ケース３０Ｂに収容した基板２０Ａと棒状導光体１０との上記係合態様の変更に対応することが以下のように可能となる。
図６（ｄ）では、棒状導光体１０の出射面１４を、図２（ａ）と同様、図示右側に向かせた状態で棒状導光体１０の係合突起部１２，１２と基板２０Ａの係合辺部２２，２２とを係合させた状態を示している。この状態では、上記各例と同様、基板ケース３０Ｂの上記同様の位置決め壁部３２と基板２０Ａの上側係合辺部２２を挟んで離間した斜め二辺の係合辺部２２，２２とによって棒状導光体１０の係合突起部１２，１２が挟まれるようにして位置決めされる。また、棒状導光体１０の係合突起部１２，１２間に基板ケース３０Ｂの係合凸部３３が配置され、上記同様、棒状導光体１０及び基板２０Ａの位置決めが確実になされる。
【００４９】
図６（ｅ）では、棒状導光体１０の出射面１４を、図２（ｄ）と同様、図示上方側に向かせた状態で棒状導光体１０の係合突起部１２，１２と基板２０Ａの係合辺部２２，２２とを係合させた状態を示している。この状態では、上記第１変形例と同様、基板２０Ａの左側係合辺部２２に対面する基板ケース３０Ｂの位置決め壁部３２Ａと基板２０Ａの左側係合辺部２２を挟んで離間した斜め二辺の係合辺部２２，２２とによって棒状導光体１０の係合突起部１２，１２が挟まれるようにして位置決めされる。また、棒状導光体１０の係合突起部１２，１２間に、左側係合辺部２２に対面する基板ケース３０Ｂの位置決め壁部３２Ａに設けられた係合凸部３３Ａが配置される。
【００５０】
このような基板ケース３０Ｂによれば、上記第１変形例と概ね同様の効果を奏するとともに、互いの係合位置の位置決めを比較的に確実に行うことができる。
なお、基板２０Ａに代えて、上記各例の基板２０を採用し、この左側係合辺部２２に対面する位置決め壁部３２Ａに対向するように、右側係合辺部２２に対面する位置決め壁部を更に設け、この位置決め壁部にも上記同様の係合凸部を設けるようにしてもよい。これによれば、この位置決め壁部によって、上記に加えて、上記した出射面１４を図示下方側に向かせた係合位置とされた棒状導光体１０の位置決めを確実に行うことができる。この場合は、基板ケース３０Ｂに対して図示下方側から基板２０を挿入させ得るような態様としてもよい。
【００５１】
なお、棒状導光体１０及び基板２０（２０Ａ）の係合態様の変更に対応し得る基板ケースとしては、上記各変形例において説明したものに限られず、その他の基板ケースを採用するようにしてもよい。
また、上記した各例では、基板ケース３０（３０Ａ，３０Ｂ）に、位置決め片部としての位置決め壁部や係合凸部、押え部等を設けた例を示しているが、これらの全部または一部を設けないようにしてもよい。
【００５２】
また、上記した例では、棒状導光体１０の長手方向両端面を入射面１３，１３とした例を示しているが、長手方向一端面のみを入射面としたものとしてもよい。この場合は、棒状導光体１０の係合部１１を入射面１３が設けられた長手方向一端部のみに設けるようにすればよい。また、この場合は、上記した長手方向中心を長手方向他端として把握するようにしてもよい。
さらに、上記した例では、基板２０（２０Ａ）に一つのＬＥＤ２３を実装した例を示しているが、複数のＬＥＤを設ける態様としてもよい。この場合は、これら複数のＬＥＤの配設中心を上記光軸として把握するようにしてもよい。
さらには、光源としては、ＬＥＤに限られず、白熱灯や放電灯、その他の光源を採用するようにしてもよい。
【００５３】
また、上記した例では、正八角形状の複数の係合辺部２２として７つまたは６つの係合辺部２２を備えた基板２０（２０Ａ）を例示しているが、５つ以下の係合辺部を備えたものとしてもよい。
さらに、上記した例では、正八角形状の複数の係合辺部２２備えた基板２０（２０Ａ）を例示しているが、光軸２４を略中心とするその他の正多角形状の複数の係合辺部を備えたものとしてもよい。例えば、正三角形状や正方形状、正六角形状等の種々の正多角形状の複数の係合辺部を備えたものとしてもよい。この場合は、基板の係合部の係合辺部に対応させて複数の係合辺部のうちの少なくとも二つに係合する係合突起部を棒状導光体１０に形成するようにしてもよい。
【００５４】
さらにまた、上記した例では、基板２０（２０Ａ）の係合辺部２２のうちの二つの辺部に対応させて二股状に形成した係合突起部１２，１２を設けた棒状導光体１０を例示しているが、二股状に形成せずに、これらを一体的に形成したような係合突起部としてもよい。
また、上記した例では、棒状導光体１０の係合部１１を、基板２０（２０Ａ）の係合辺部２２のうちの二つの辺部に係合する係合突起部１２，１２を備えたものとした例を示しているが、三つ以上の辺部に係合する係合突起部としてもよい。
【００５５】
さらに、光源２３の光軸２４廻りに複数の異なる向きに出射面１４を向かせたそれぞれの状態で互いに係合する棒状導光体１０及び基板２０（２０Ａ）の係合部としては、上記した例に限られない。例えば、上記した各係合部を逆側にそれぞれ設けるようにしてもよい。つまり、棒状導光体１０の長手方向一端部を、複数の係合辺部を備えた正多角形状とし、基板２０（２０Ａ）に上記同様の係合突起部を設けたような態様としてもよい。または、基板２０（２０Ａ）に、光軸２４を円心とする円に沿わせるようにして複数の係合孔を設け、棒状導光体に、この係合孔に挿入される係合突起を設けたような態様としてもよい。この場合、係合突起を複数の係合孔に挿入し得るように複数本の係合突起としてもよい。または、一つの係合突起からなるものとしてもよい。この場合は、位置決めを確実にする観点等から係合孔及びこれに挿入される係合突起の断面形状を多角形状とされたものとしてもよい。
【符号の説明】
【００５６】
１，１Ａ，１Ｂ        発光部材
１０                  棒状導光体
１１                  係合部
１２                  係合突起部
１３                  入射面
１４                  出射面
２０，２０Ａ          基板
２１，２１Ａ          係合部
２２                  係合辺部
２３                  ＬＥＤ（光源）
２４                  光軸
３０，３０Ａ，３０Ｂ  基板ケース
３２，３２Ａ          位置決め壁部（位置決め片部）
３３，３３Ａ          係合凸部
【図１】
0005622610.tif 000002
【図２】
0005622610.tif 000003
【図３】
0005622610.tif 000004
【図４】
0005622610.tif 000005
【図５】
0005622610.tif 000006
【図６】
0005622610.tif 000007